(57)【要約】【課題】消費者が自己のニーズを満たすために複数の商品を購入する場合に、容易かつ的確に商品を選択できるような商品情報を提供する商品情報提供装置を提供する。【課題手段】複数の商品に関する情報を、ネットワークを介して接続した複数の販売者の端末から取得する商品情報取得手段と、消費者の何らかのニーズに関する情報を、ネットワークを介して接続した消費者の端末から取得する消費者ニーズ情報取得手段と、前記複数の商品を、前記消費者のニーズを満たすように組合せて、組合せ商品の情報を作成する組合せ商品情報作成手段と、前記組合せ商品の情報を前記消費者の端末に送信する組合せ商品情報送信手段と、を備えたるように商品情報提供装置を構成する。【選択図】　図１
2004054387.tif 000002
【特許請求の範囲】
【請求項１】
複数の商品に関する情報を、ネットワークを介して接続した複数の販売者の端末から取得する商品情報取得手段と、
消費者の何らかのニーズに関する情報を、ネットワークを介して接続した消費者の端末から取得する消費者ニーズ情報取得手段と、
前記複数の商品を、前記消費者のニーズを満たすように組合せて、組合せ商品の情報を作成する組合せ商品情報作成手段と、
前記組合せ商品の情報を前記消費者の端末に送信する組合せ商品情報送信手段と、を備えた商品情報提供装置。
【請求項２】
請求項１に記載の商品情報提供装置において、
消費者の嗜好に関する情報を、前記消費者の端末から取得する嗜好情報取得手段を備え、
前記組合せ商品情報作成手段では、前記消費者の嗜好を考慮して組合せ商品情報を作成することを特徴とする商品情報提供装置。
【請求項３】
請求項１又は２に記載の商品情報提供装置において、
前記組合せ商品情報作成手段では、予め与えられた複数のロジックに基づいて複数の前記組合せ商品情報を作成し、
前記組合せ商品情報送信手段では、前記複数の組合せ商品情報を前記消費者の端末に送信することを特徴とする商品情報提供装置。
【請求項４】
請求項３に記載の商品情報提供装置において、
前記消費者の端末を利用する消費者を認識する消費者認識手段と、
前記組合せ商品情報送信手段で送信した複数の組合せ商品情報の中から、前記消費者の端末で選択された組合せ商品情報を認識し、該選択された組合せ商品情報の作成に使用したロジックを、前期消費者認識手段で認識した消費者と関連づけて保存するロジック保存手段と、を備え、
前記組合せ商品情報作成手段では、前記ロジック保存手段で該消費者と関連づけて保存されたロジックを参照して、該ロジックで作成する組合せ商品情報に重み付けをして作成することを特徴とする商品情報提供装置。
【請求項５】
請求項１乃至請求項４の何れか一項に記載の商品情報提供装置において、
前記商品はダイエットサービスであり、前記組合せ商品はダイエットサービスを組合せたダイエットプランであることを特徴としたダイエットプラン情報提供装置。
【請求項６】
商品情報提供装置に含まれるコンピュータを、請求項１乃至請求項５の何れか一項に記載の商品情報提供装置として機能させるコンピュータプログラム。
【請求項７】
商品情報提供装置が、該商品情報提供装置とネットワークを介して接続した複数の販売者の端末から、複数の商品に関する情報を取得する商品情報取得ステップと、
前記商品情報提供装置が、該商品情報提供装置とネットワークを介して接続した消費者の端末から、消費者の何らかのニーズに関する情報を取得する消費者ニーズ情報取得ステップと、
前記商品情報提供装置が、前記複数の商品を前記消費者のニーズを満たすように組合せて、組合せ商品の情報を作成する組合せ商品情報作成ステップと、
前記商品情報提供装置が、前記組合せ商品の情報を前記消費者の端末に送信する組合せ商品情報送信ステップと、を有する商品情報提供方法。
【発明の詳細な説明】
【０００１】
【発明の属する技術分野】
本発明は、消費者に商品情報を提供する商品情報提供装置、それを構成するコンピュータプログラムおよび商品情報提供方法に関する。特に、複数の販売者の商品を組合せた組合せ商品としての商品情報を提供する商品情報提供装置、それを構成するコンピュータプログラムおよび商品情報提供方法に関する。
【０００２】
【従来の技術】
近年、インターネットを利用した電子商取引が盛んにおこなわれている。このインターネットを利用した電子商取引では、消費者は商品情報提供装置から送信される商品情報を閲覧し、希望の商品を選択して商品を購入するのが一般的である。このように消費者は商品情報提供装置から提供される商品情報により購入する商品を決定するため、商品情報提供装置では、消費者の購買心をかきたてるため、商品情報の提供において様々な工夫がなされている。たとえば、特開２００２−１８９９２９公報で開示された商品情報提供装置では、複数の販売店が取り扱う同一の商品の価格を比較できるようにして商品情報を提供している。したがって、消費者は格安商品を容易に選択でき、消費者にとって有益な商品情報となっている。
【０００３】
【発明が解決しようとする課題】
しかし、このような商品情報提供装置によれば、消費者が自己の何らかのニーズを満たすために複数の商品を購入する場合に、消費者自らが商品情報提供装置から提供される様々な商品情報を見比べて、複数の商品を選択する必要がある。したがって、消費者にとって煩雑であるばかりでなく、ニーズを満たすように複数の商品を選択してくことは必ずしも容易なことではなかった。
【０００４】
本発明は、このような問題点に鑑みなされたもので、消費者が自己のニーズを満たすために複数の商品を購入する場合に、容易かつ的確に商品を選択できるような商品情報を提供する商品情報提供装置を提供することを課題とする。
【０００５】
【課題を解決するための手段】
本発明は、この課題を解決するため、消費者のニーズを満たすように複数の商品を組合せた組合せ商品の商品情報を作成し、消費者（の端末）に提供することとした。
【０００６】
このため請求項１に記載の商品情報提供装置は、複数の商品に関する情報を、ネットワークを介して接続した複数の販売者の端末から取得する商品情報取得手段と、消費者の何らかのニーズに関する情報を、ネットワークを介して接続した消費者の端末から取得する消費者ニーズ情報取得手段と、前記複数の商品を、前記消費者のニーズを満たすように組合せて、組合せ商品の情報を作成する組合せ商品情報作成手段と、前記組合せ商品の情報を前記消費者の端末に送信する組合せ商品情報送信手段と、を備える。
【０００７】
請求項１に記載の商品情報提供装置によれば、商品情報取得手段で取得した複数の商品の商品情報から、消費者のニーズを満たすように、組合せ商品の商品情報を作成し、消費者（の端末）に提供するので、消費者にとって価値の高い商品情報を提供することができる。また、複数の販売者から提供される商品を組合せて組合せ商品を作成できるので、商品の組合せの幅が広がり、価値の高い商品情報の提供が期待できる。なお、本願において商品とは、狭義の商品およびサービスを含む広義の商品を意味する。
【０００８】
請求項２に記載の商品情報提供装置は、請求項１に記載の商品情報提供装置において、消費者の嗜好に関する情報を、前記消費者の端末から取得する嗜好情報取得手段を備え、前記組合せ商品情報作成手段では、前記消費者の嗜好を考慮して組合せ商品情報を作成することを特徴とする。
【０００９】
請求項２に記載の商品情報提供装置によれば、嗜好情報取得手段で取得した消費者の嗜好を考慮して、組合せ商品情報を作成するので、該消費者にとって一層価値の高い商品情報を提供することができる。
【００１０】
請求項３に記載の商品情報提供装置によれば、請求項１又は２に記載の商品情報提供装置において、前記組合せ商品情報作成手段では、予め与えられた複数のロジックに基づいて複数の前記組合せ商品情報を作成し、前記組合せ商品情報送信手段では、前記複数の組合せ商品情報を前記消費者の端末に送信することを特徴とする。なお、ロジックとは、組合せ商品情報を作成する際の、作成条件を示すものである。
【００１１】
請求項３に記載の商品情報提供装置によれば、複数のロジックで作成した複数の組合せ商品情報を消費者に提供するので、消費者は組合せ商品を選択することができ、消費者にとって一層価値の高い商品情報となる。
【００１２】
請求項４に記載の商品情報提供装置は、請求項３に記載の商品情報提供装置において、前記消費者の端末を利用する消費者を認識する消費者認識手段と、前記組合せ商品情報送信手段で送信した複数の組合せ商品情報の中から、前記消費者の端末で選択された組合せ商品情報を認識し、該選択された組合せ商品情報の作成に使用したロジックを、前期消費者認識手段で認識した消費者と関連づけて保存するロジック保存手段と、を備え、前記組合せ商品情報作成手段では、前記ロジック保存手段で該消費者と関連づけて保存されたロジックを参照して、該ロジックで作成する組合せ商品情報に重み付けをして作成することを特徴とする。
【００１３】
請求項４に記載の商品情報提供装置によれば、ロジック保存手段で消費者と関連づけて保存されたロジックを参照して、該ロジックで作成する組合せ商品情報に重みをつけて作成するので、消費者は、以前に選択した組合せ商品情報と同じロジックで作成した組合せ商品情報を容易に選択することができる。
【００１４】
請求項５に記載のダイエットプラン情報提供装置は、請求項１乃至請求項４の何れか一項に記載の商品情報提供装置において、前記商品はダイエットサービスであり、前記組合せ商品はダイエットサービスを組合せたダイエットプランであることを特徴とする。
【００１５】
請求項５に記載のダイエットプラン情報提供装置によれば、所定の条件に基づいてダイエットプランを作成して消費者に提供することで、的確かつ安全なサービス情報を提供することができる。すなわち、ダイエットサービスは組合せ如何で、その効果が格段に異なってくる場合があり、また、誤った組合せや頻度でダイエットサービスを受けると適正な効果が得られないばかりか、身体に危険を生じさせることがあるという従来の問題点を解決できる。
【００１６】
請求項６に記載のコンピュータプログラムは、商品情報提供装置に含まれるコンピュータを、請求項１乃至請求項５の何れか一項に記載の商品情報提供装置として機能させる。
【００１７】
請求項６に記載のコンピュータプログラムによれば、商品情報提供装置に含まれるコンピュータを、商品情報提供装置として機能させることができる。
【００１８】
請求項７に記載の商品情報提供方法は、商品情報提供装置が、該商品情報提供装置とネットワークを介して接続した複数の販売者の端末から、複数の商品に関する情報を取得する商品情報取得ステップと、前記商品情報提供装置が、該商品情報提供装置とネットワークを介して接続した消費者の端末から、消費者の何らかのニーズに関する情報を取得する消費者ニーズ情報取得ステップと、前記商品情報提供装置が、前記複数の商品を前記消費者のニーズを満たすように組合せて、組合せ商品の情報を作成する組合せ商品情報作成ステップと、前記商品情報提供装置が、前記組合せ商品の情報を前記消費者の端末に送信する組合せ商品情報送信ステップと、を有する。
【００１９】
【発明の実施の形態】
以下、本発明の一実施形態であるダイエットプラン情報提供装置を用いたダイエットプラン情報提供システムについて、図面を参照して説明する。
【００２０】
図１は、ダイエットプラン情報提供システムのネットワーク構成図である。図１に示すように、ダイエットプラン情報提供システム１は、消費者端末２、販売者端末３およびダイエットプラン情報提供装置４で構成され、消費者端末２および販売者端末３は、ネットワークを介してダイエットプラン情報提供装置４と接続されている。
【００２１】
ダイエットプラン情報提供装置４は、消費者ＣＲＭ（ｃｕｓｔｏｍｅｒ　ｒｅｌａｔｉｏｎｓｈｉｐ　ｍａｎａｇｅｍｅｎｔ）システム１１が構築されており、消費者端末２を利用する消費者と個人単位での双方向通信が可能となっている。また、同様に、販売者ＣＲＭシステム１２が構築されており、各販売者との双方向通信が可能となっている。消費者および販売者には、個々を識別するため、それぞれ消費者ＩＤ、販売者ＩＤが付与され、ダイエットプラン情報提供装置４は、これに基づいてそれぞれの消費者または販売者を認識し、それぞれの情報を管理する。
【００２２】
また、ダイエットプラン情報提供装置４は、消費者ＤＢ１３、販売者ＤＢ１４、ロジックＤＢ１５、ダイエットプラン作成プログラム１６および最適化プランＤＢ１７を備えている。
【００２３】
消費者ＤＢ１３は、消費者に関する情報を蓄積するＤＢ（ｄａｔａ　ｂａｓｅ）であり、消費者の氏名、住所、電話番号などの消費者特定情報のほか、消費者の嗜好に関する情報を蓄積する。
【００２４】
図２に消費者嗜好性テーブルを示す。消費者嗜好性テーブルは、消費者の嗜好に関する情報を蓄積したテーブルであり、各消費者がどのダイエットサービスを好んでいるのかを示している。例えば、「山田花子」さんは「ダンジキ療法」および「食事療法」を好んでおり、また「吉田恵子」さんは「運動療法」および「食事療法」を好んでいることを示している。
【００２５】
販売者ＤＢ１４は、販売者に関する情報を蓄積するＤＢであり、販売者であるダイエットサービス提供施設の施設名、住所、電話番号などの施設情報のほか、該施設が提供するダイエットサービスの商品情報を蓄積する。なお、商品情報には、施設が提供するサービスの特性や、施設の空き情報などが含まれる。
【００２６】
図３の（Ａ）に施設特性テーブルを、（Ｂ）に空室情報テーブルを、（Ｃ）に単位減量テーブルをそれぞれ示す。これらのテーブルには、上述の商品情報を蓄積している。施設特性テーブルは、各施設が提供するダイエットサービスを示しており、例えば「Ａ施設」は「ダンジキ療法」と「運動療法」を提供していることを示している。また、空室情報テーブルは、各施設の空室状況を示しており、例えば「Ｂ施設」は「６月１日」「６月３日」・・・が空室であり、ダイエットサービスの提供が可能であることを示している。さらに、単位減量テーブルは、それぞれの施設が提供するダイエットサービスを１日利用したときの統計に基づいた予測減量を示しており、例えば「Ａ施設」で「ダンジキ療法」を受けた場合、「１日で２００ｇ減量する」ことを示している。
【００２７】
ロジックＤＢ１５は、ダイエットプランの作成に用いるロジックを蓄積する。
【００２８】
図４にロジックテーブルを示す。ロジックテーブルは、ダイエットプラン作成ロジックを、連続して受けるサービス期間と、次に受けるサービスまでのインターバル期間で定義している。例えば「Ａ医師のロジック」は、「第１サービス」の期間が「４日以上７日以下」、「第１インターバル」の期間が「７日以上１４日以下」、「第２サービス」の期間が「２日以上４日以下」、「第３サービス」の期間が「２日以上４日以下」・・・というように定義されている。
【００２９】
最適化プランＤＢ１６は、作成されたダイエットプランを蓄積するほか、消費者のロジック嗜好性に関する情報を蓄積する。
【００３０】
図５に消費者ロジック嗜好性テーブルを示す。消費者ロジック嗜好性テーブルは、消費者のロジック嗜好性に関する情報を蓄積しており、例えば「山田花子」さんは「Ｂ管理栄養士のロジック」で作成したダイエットプランを最も多く選択しており、続いて「Ａ医師のロジック」で作成したダイエットプラン、「Ｃ料理研究家のロジック」で作成したダイエットプラン・・・の順に多く選択していることを示している。
【００３１】
ダイエットプラン作成プログラム１６は、消費者および施設から提供された上述の情報を用いて、ロジックＤＢ１５に蓄積された各ロジックに基づいて、ダイエットサービスを組合せたダイエットプランを作成するプログラムである。
【００３２】
以上のように構成されたダイエットプラン情報提供システム１でダイエットプランを提供する手順の一例について図を参照して説明する。
【００３３】
まず、ダイエットサービスの提供をおこなうダイエットサービス提供施設は、販売者端末３から加盟登録をおこなう。図６に販売者端末３における加盟登録画面を示す。該施設は、この加盟登録画面から、施設の名称、住所、電話番号等の施設に関する施設情報、および、施設の特性、単位減量等の商品情報を入力する。また、該施設は、施設の空室に関する情報を所定の機会（たとえば、空室の変動があったとき）に販売者端末３から入力する。
【００３４】
販売者端末３で入力されたこれらの情報は、ネットワークを経由して、ダイエットプラン情報提供装置４に送信される。ダイエットプラン情報提供装置４は、販売者ＣＲＭシステム２により、販売者ＩＤに基づいて販売者単位で情報の管理をおこない、それぞれの情報を該施設と関連付けて販売者ＤＢ１２に蓄積する。
【００３５】
このようにして、複数の施設が本サービスへ加盟登録して、これらの施設が提供する複数のダイエットサービスが販売者ＤＢ１２に蓄積される。
【００３６】
また、本システムを利用する消費者は、消費者端末２から会員登録をおこなう。図７に消費者端末２における会員登録画面を示す。消費者は、この会員登録画面から、氏名、住所、電話番号などの消費者情報のほか、嗜好性に関する情報を登録する。
【００３７】
消費者端末２で入力されたこれらの情報は、ネットワークを経由して、ダイエットプラン情報提供装置４に送信される。ダイエットプラン情報提供装置４は、消費者ＣＲＭシステムにより、消費者ＩＤに基づいて消費者単位で情報の管理をおこない、それぞれの情報を消費者と関連付けて消費者ＤＢ１１に蓄積する。
【００３８】
消費者は、ダイエットプランの提供の希望する場合に、提供の申し込みをおこなう。
【００３９】
図８にダイエットプランの提供申し込みの画面を示す。消費者は、この画面から、スタート日時、ゴール日時、目標体重などの消費者のニーズ情報を入力する。そのほか、ダイエットプランの作成をする際に考慮したい項目（例えば、平日プランを多くとか、ダンジキ療法を中心になど）があれば、ニーズ情報の一部を構成するオプションとして入力する。
【００４０】
消費者端末２から入力されたニーズ情報は、ネットワークを経由してダイエットプラン情報提供装置４に送信され、ダイエットプラン作成プログラム１６に提供され、ダイエットプランの作成を開始する。
【００４１】
図９はダイエットプランの作成手順の説明図である。まず、ダイエットプラン作成プログラム１６は、まず消費者のニーズ情報に基づいて、「消費者名、スタート日、ゴール日」からなるニーズ構造体を作成する（ステップ１０）。
【００４２】
次に、ニーズ構造体の「スタート日〜ゴール日」と施設空室情報テーブルの「空室日」との積事象の演算をおこない、スタート日からゴール日の間で施設の利用が可能な日付と施設名をピックアップして、「消費者名、施設名、チェックイン日、チェックアウト日」からなる第１構造体を作成する（ステップ２０）。このとき、ニーズ情報にオプションが付加されている場合、これを考慮して第１構造体を作成する。例えば、「週末＆休日プランを多く」という重み付け因子が選択されている場合、週末または休日を含む一次構造体を優先的に作成する。
【００４３】
次に、消費者嗜好性テーブルの「消費者嗜好性」と施設特性テーブルの「施設サービス特性」をマッチングして「消費者名、施設名、サービス名、単位減量」からなる第２構造体を作成する（ステップ３０）。すなわち、消費者嗜好性テーブルと施設特性テーブルで合致するサービスを抜き出し、これに単位減量テーブルの単位減量を付加して２次構造体を作成する。
【００４４】
このようにして作成された第１構造体に第２構造体の要素を付加して、「消費者名、施設名、サービス名、チェックイン日、チェックアウト日、可能減量」からなる最終構造体を作成する（ステップ４０）。なお、ここで可能減量は単位減量に施設滞在日数（チェックアウト日−チェックイン日）を乗して得られた減量であり、最終構造体毎の予測減量を示したものである。
【００４５】
次に、ロジックテーブルを参照して、各ロジックを満たすように最終構造体を（必要に応じて最終構造体の一部を抜き出して）組合せ、ダイエットプランを作成する（ステップ５０）。例えば、「Ａ医師のロジック」を用いてダイエットプランを作成する場合について説明すると、「Ａ医師のロジック」では「第１治療」が「４日以上７日以下」、「第１インターバル」が「７日以上１４日以下」、「第２治療」が「２日以上４日以下」、「第２インターバル」が「制限なし」、「第３治療」が「２日以上４日以下」と条件付けられているので、最終構造体「山田花子、Ａ施設、ダンジキ療法、６月５日、６月９日、８００ｇ」から抜き出した構造体「山田花子、Ａ施設、ダンジキ療法、６月５日、６月８日、６００ｇ」と、最終構造体「山田花子、Ｃ施設、食事療法、６月１５日、６月１７日、６００ｇ」から抜き出した構造体「山田花子、Ｃ施設、食事療法、６月１６日、６月１７日、３００ｇ」と、最終構造体「山田花子、Ｄ施設、食事療法、６月２０日、６月２５日、１２５０ｇ」とを組合せてダイエットプランを作成する。
【００４６】
同様に「Ｂ管理栄養士のロジック」、「Ｃ料理研究家のロジック」・・・を用いて、複数のダイエットプランを作成する。
【００４７】
このようにして作成された複数のダイエットプランは、ネットワークを経由して消費者端末２に送信され、消費者端末２では送信を受けたダイエットプランを、図１０に示すように、ビジュアル化されて表示する。したがって、消費者は各ダイエットプランの内容を容易に把握することができる。
【００４８】
消費者は、上記複数のダイエットプランの中から気に入ったダイエットプランを選択して、そのダイエットプランを一括して申し込むことができるし、また、ダイエットプランの一部（例えば、気に入ったダイエットプランのＢ施設のサービスとＣ施設のサービスのみ）について部分で申し込むこともできる。
【００４９】
このようにして、消費者に選択されたダイエットプランは、ネットワークを経由してダイエットプラン情報提供装置４に送信され、さらに、ネットワークを経由して販売者端末３に送信され、申し込み手続きが完了する。
【００５０】
ダイエットプラン情報提供装置４は、消費者に選択されたダイエットプランから、該プランの作成に用いたロジックを特定し、該ロジックを該消費者が選択したという情報を、最適化プランＤＢに消費者ロジック嗜好性テーブルとして蓄積する。
【００５１】
この消費者ロジック嗜好性テーブルは、次回のダイエットプラン作成時に参照され、消費者単位で過去に選択された回数の多いロジックを優先的に用いてダイエットプランを作成しても良いし、また、ダイエットプランに過去に選択された回数の多い順に順位を付して作成してもよい。
【００５２】
以上のように、ダイエットプラン情報提供装置４で、複数の施設で提供されるダイエットサービスを、消費者のニーズを満たすように組合せてダイエットプランを作成して、消費者端末２に提供するので、消費者は自身で施設が提供するダイエットサービスを組合せてダイエットプランを考える必要がない。また、複数の施設が提供するダイエットサービスを組合せてダイエットプランを作成するので、ひとつの施設内のダイエットサービスを組合せるのに比べて格段に組合せの自由度が増し、より消費者のニーズや嗜好に合致したダイエットプランを提供することが可能となる。
【００５３】
また、消費者の嗜好性を考慮してダイエットプランを作成するので、消費者にとってより満足度（価値）の高いダイエットプランを提供することができる。
【００５４】
また、過去に選択したサービスプランの作成に用いたロジックを参照して、該ロジックで作成したダイエットプランに重み付けをすることで、いわゆる学習効果が発揮できるので、消費者にとって満足度（価値）の高いダイエットプランを提供することができる。
【００５５】
さらに、専門家が提供するロジックを用いてダイエットプランを作成するので、安全かつ質の高い、消費者にとって満足度（価値）の高いダイエットプランを提供することができる。
【００５６】
以上の本実施形態では、消費者ニーズ情報の入力により、ダイエットプランの作成を開始し、消費者端末にダイエットプランを提供したが、これに限定されるものではなく、例えば、消費者から予め与えられたニーズに従って、一定期間毎にダイエットプランを作成して、消費者端末に提供してもよい。
【００５７】
また、本実施形態では、ダイエットプラン作成ロジックを予め定義したが、これに限定されるものではなく、例えば、ロジック提供者端末を備えて、ロジック提供者が該ロジック提供者端末からロジックを登録し、ネットワークを経由して該ロジックをロジックＤＢ１５に蓄積しても良い。
【００５８】
また、本実施形態では、ダイエットプラン情報提供装置４を一つのサーバで構成する場合について説明したが、これに限定されることなく、例えば、複数のサーバをネットワークで接続してダイエットプラン情報提供装置４を構成しても良い。
【００５９】
さらに、本実施形態では、ダイエットプラン情報提供システムについて説明したが、本発明はこれに限定されることなく、例えば、複数の販売者が提供する食品を、専門家が提供する条件（ロジック）で組合せて、健康食品セット情報を提供する健康食品セット提供システムなどにも適用できる。
【００６０】
【発明の効果】
本発明の商品情報提供システムによれば、消費者が自己のニーズを満たすために複数の商品を購入する場合に、容易かつ的確に商品を選択できるような商品情報を提供することができる。
【図面の簡単な説明】
【図１】本発明の一実施形態におけるダイエットプラン情報提供システムのネットワーク構成図である。
【図２】本発明の一実施形態における消費者嗜好性テーブルを説明する図である。
【図３】本発明の一実施形態における（Ａ）施設特性テーブル、（Ｂ）空室情報テーブル、（Ｃ）単位減量テーブルを説明する図である。
【図４】本発明の一実施形態におけるロジックテーブルを説明する図である。
【図５】本発明の一実施形態における消費者ロジック嗜好性テーブルを説明する図である。
【図６】本発明の一実施形態における施設の加盟登録画面を説明する図である。
【図７】本発明の一実施形態における消費者の会員登録画面を説明する図である。
【図８】本発明の一実施形態におけるダイエットプランの提供申し込み画面を説明する図である。
【図９】本発明の一実施形態におけるダイエットプランの作成手順を説明するフロー図である。
【図１０】本発明の一実施形態における消費者端末のダイエットプラン表示画面を説明する図である。
【符号の説明】
１　ダイエットプラン情報提供システム
２　消費者端末
３　販売者端末
４　ダイエットプラン情報提供装置
１１　消費者ＣＲＭシステム
１２　販売者ＣＲＭシステム
１３　消費者ＤＢ
１４　販売者ＤＢ
１５　ロジックＤＢ
１６　ダイエットプラン作成プログラム
１７　最適化プランＤＢ
【図１】
2004054387.tif 000003
【図２】
2004054387.tif 000004
【図３】
2004054387.tif 000005
【図４】
2004054387.tif 000006
【図５】
2004054387.tif 000007
【図６】
2004054387.tif 000008
【図７】
2004054387.tif 000009
【図８】
2004054387.tif 000010
【図９】
2004054387.tif 000011
【図１０】
2004054387.tif 000012